(57)【要約】【課題】内側に配置された印刷物を見る際に、折り目をつけることなく開くことができる表紙を提供する。【解決手段】綴じ部材で外側から印刷物を綴じ込む表紙であって、この表紙を２つ折りにして表側部と裏側部とを形成し、表側部の綴じ部材に対応する部分に窓あき部を形成する。【選択図】図１
2007125793.tif 000002
【特許請求の範囲】
【請求項１】
綴じ部材で外側から印刷物を綴じ込む表紙であって、該表紙は、２つ折りにして表側部と裏側部とを形成し、前記表側部の綴じ部材に対応する部分に窓あき部を形成したことを特徴とする表紙。
【発明の詳細な説明】
【技術分野】
【０００１】
本発明は、冊子の製本等に用いられる表紙に関する。
【背景技術】
【０００２】
一般に、冊子は、印刷物と、この印刷物を外側から綴じ込む表紙とを少なくとも具備することにより構成される。従来より、例えば特許文献１に示され、図４に示すように、表紙１０の一部に窓あき部１７Ｃ及び１７Ｄを形成し、窓あきが形成された部分に対応する部分に配置された印刷物１３を外方から見ることができる表紙１０が提案され、実用化されている。
【０００３】
このような冊子１２は、製本の際、通常、図４に示すように、表紙１０の内側に印刷物１３を配置し、表紙１０（表側部１５及び裏側部１６）及び印刷物１３をまとめて、表紙１０の上側から、ホッチキス針等の綴じ部材１８にて綴じられて形成される。このように形成された冊子１２を開く際、綴じ部材１８に沿って、すなわち、図４に示す点線１９に沿って表紙１０を折り曲げて、内側に配置された印刷物１３を見るように構成されている。
【０００４】
しかし、表紙１０に使用される紙は、印刷物１３に使用される紙よりも、厚い場合が多いため、表紙１０が折り曲げにくいという問題があった。また、一旦、折り曲げて折り目をつけてしまった表紙１０は折り目を消すことができないため、見た目が低下するという問題もあった。
【特許文献１】実開平５−５４２８８号公報
【発明の開示】
【発明が解決しようとする課題】
【０００５】
本発明は、上述したような実情に鑑みてなされたもので、その目的とするところは、内側に配置された印刷物を見る際に、折り目をつけることなく開くことができる表紙を提供することである。
【課題を解決するための手段】
【０００６】
本発明の上記目的は、綴じ部材で外側から印刷物を綴じ込む表紙であって、該表紙は、２つ折りにして表側部と裏側部とを形成し、前記表側部の綴じ部材に対応する部分に窓あき部を形成したことを特徴とする表紙を提供することによって達成される。
【発明の効果】
【０００７】
本発明に係る表紙によれば、表側部の綴じ部材に相当する部分に、窓あき部を形成したので、内側に配置された印刷物を見る際に、表紙に折り目をつけることなく表紙を開くことができ、見ることができる。これにより、表紙を折るという手間が省けるとともに、保管する場合において、見た目の良さを維持することができる。
【発明を実施するための最良の形態】
【０００８】
以下、本発明に係る表紙について、図面を参照しながら詳細に説明する。なお、本発明は、以下の実施形態に限定されるものではなく、特許請求の範囲を逸脱しない範囲において、適宜設計変更可能であることはいうまでもない。
【０００９】
図１は、本発明に係る表紙１の平面図であり、図２は、表紙１を使用して形成した冊子２を示す斜視図であり、図３は、図２のＩＩ−ＩＩ断面図である。
【００１０】
図示するように、冊子２は、例えば一般情報が印字された印刷物３と、この印刷物３を外側から綴じ込める表紙１とを少なくとも具備することにより構成されている。すなわち、表紙１の内側に、印刷物３が配置されて冊子２が形成されている。
【００１１】
本発明に係る表紙１（以下、単に「表紙１」と言う。）は、１枚の紙を中央線４で２つ折りにすることにより、表側部５と裏側部６とが形成されている。表側部５には、４つの窓あき部７Ａ〜７Ｄが形成されている。
【００１２】
表紙１は、その略中央部に、綴じ部材８のための２つの窓あき部７Ａ及び７Ｂを設けたことに特徴がある。すなわち、表紙１は、表側部５の綴じ部材８に対応する位置である、長手方向における側端部に、綴じ部材８のための窓あき部７Ａ及び７Ｂが設けられている。なお、本実施形態では、綴じ部材８として、ホッチキス針を用いたが、この他、糸やビス等、公知の種々の綴じ部材を用いることができる。
【００１３】
このように表紙１の表側部５の綴じ部材８と対応する位置に、窓あき部７Ａ及び７Ｂが設けられた表紙１は、図３に表紙１の部分断面図で示すように、窓あき部７Ａ及び７Ｂの上から綴じ部材８で表紙１及び印刷物３を綴じて製本して冊子２を形成する。すなわち、表紙１の表側部５には綴じ部材８がかかることがなく、表紙１の内側に配置された印刷物３、及び表紙１の裏側部６を綴じ部材８で綴じることによって製本され、冊子２が形成される。
【００１４】
これにより、表紙１を開く際、表紙１の表側部５には綴じ部材８がかかっていないので、表紙１を綴じ部材８に沿って折る必要がなくなり、表紙１を開き易くなるという利点がある。また、表紙１には、折り目がつかないので、見た目が損なわれることもなくなる。
【００１５】
また、冊子２を製本する際、通常、人間の手によって綴じ部材８を用いて綴じられるが、表紙１の表側部５に、綴じ部材８のための窓あき部７Ａ及び７Ｂが形成されていると、綴じ部材８で綴じる位置の目安にもなるため、綴じ易くなるという効果もある。
【００１６】
なお、本実施形態においては、窓あき部７Ａ及び７Ｂを矩形状に形成したが、この他、図示しないが、星型、ハート型、三角形状等、公知の種々の形状としても良い。
【００１７】
また、窓あき部７Ａ及び７Ｂは、本実施形態では略中央部に設けているが、枚数が多く厚みがある印刷物３に用いる場合には、窓あき部７Ａ及び７Ｂの形成位置を、表紙１の表側部５の中央部寄りにする等、適宜変更することが可能である。
【００１８】
また、本実施形態では、右綴じの場合に用いる表紙１について説明したが、この他、左綴じに用いる表紙１に変更することもできる。すなわち、図１に示す右綴じ用の表紙１を左右反転させて、右側を表側部に、左側を裏側部に形成することにより、表紙１を左綴じ用に変更することができる。
【００１９】
さらにまた、本実施形態では、綴じ部材８のための窓あき部を７Ａ及び７Ｂの２箇所に設けたが、表紙１の使用目的やニーズに応じて、綴じ部材８のための窓あき部の数を３箇所、４箇所等に増加させたり、あるいは１箇所にする等、適宜変更することが可能である。
【００２０】
表紙１の表側部５には、窓あき部７Ｃ及び７Ｄが形成されており、この窓あき部７Ｃ及び７Ｄに対応する部分に配置された印刷物３の１ページ目の内容は、表紙１を開かなくても、これらの窓あき部７Ｃ及び７Ｄを通して、その外方から見ることができる。なお、本発明においては、窓あき部７Ｃ及び７Ｄは形成されていなくても良い。また、上述した表紙１には、表紙１の表側部５にのみ窓あき部が形成されているが、裏側部６にも窓あき部が形成されても良い。
【図面の簡単な説明】
【００２１】
【図１】本発明に係る表紙を使用して形成した冊子の斜視図である。
【図２】本発明に係る表紙の平面図である。
【図３】図１のＩ−Ｉ断面図である。
【図４】従来の表紙を使用して形成した冊子の斜視図である。
【符号の説明】
【００２２】
１                      表紙
２                      冊子
３                      印刷物
５                      表紙の表側部
６                      表紙の裏側部
７Ａ，７Ｂ              綴じ部材のための窓あき部
８
【図１】
2007125793.tif 000003
【図２】
2007125793.tif 000004
【図３】
2007125793.tif 000005
【図４】
2007125793.tif 000006